【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
熱交換器であって、
複数のプレート（７２、７４、７３Ａ）が積層されることにより、凝縮部（１０Ａ）および過冷却部（１０Ｂ）を構成するプレート積層体（１０）を備え、
前記凝縮部は、冷媒入口（１１０）に流入された気相冷媒が流れる第１冷媒流路（１０１）と熱媒体が流れる第１熱媒体流路（１００）とが前記複数のプレートの積層方向（Ｄ２）に重なるように形成されて、前記気相冷媒から前記熱媒体へ放熱して前記気相冷媒を凝縮して、気液分離器（２０）に向けて排出し、
前記気液分離器は、前記凝縮部によって凝縮された冷媒を前記気相冷媒と液相冷媒とに分離して前記気相冷媒および前記液相冷媒のうち前記液相冷媒を排出し、
前記過冷却部は、前記凝縮部に対して前記積層方向の一方側に配置されて、前記気液分離器から排出された前記液相冷媒が冷媒出口（１１１）に向けて流れる第２冷媒流路（１０１）と前記熱媒体が流れる第２熱媒体流路（１００）とが前記積層方向に重なるように形成されて、前記液相冷媒から前記熱媒体へ放熱して前記液相冷媒を過冷却し、
前記冷媒入口および前記冷媒出口は、それぞれ、前記凝縮部に対して前記過冷却部の反対側に配置されており、
前記第１熱媒体流路、および前記第２熱媒体流路には、熱媒体入口（１１２）を介して流入される前記熱媒体が流れ、
前記第１熱媒体流路、および前記第２熱媒体流路を通過した前記熱媒体が熱媒体出口（１１３）から排出され、
前記熱媒体入口および前記熱媒体出口は、前記凝縮部に対して前記過冷却部の反対側に配置されており、
前記気液分離器は、前記過冷却部に対して前記凝縮部の反対側に配置されている熱交換器。
【請求項２】
前記プレート積層体には、前記第１熱媒体流路を通過した冷媒を前記気液分離器に向けて排出する排出口（１１４）と、前記気液分離器からの前記液相冷媒を前記第２冷媒流路に導入する導入口（１１５）とが設けられており、
前記プレート積層体には、前記排出口および前記導入口を介して前記気液分離器が接続されている請求項１に記載の熱交換器。
【請求項３】
前記冷媒入口は、前記プレート積層体のうち前記積層方向に交差する交差方向（Ｄ１）の一方側に配置されており、
前記冷媒出口は、前記プレート積層体のうち前記交差方向の他方側に配置されている請求項１または２に記載の熱交換器。
【請求項４】
前記凝縮部は、
前記第１冷媒流路に対して前記積層方向の前記一方側に配置されて前記第１冷媒流路を通過した冷媒を前記気液分離器に向けて流通させる第３冷媒流路（１０１）と前記熱媒体が流れる第３熱媒体流路（１００）とが前記積層方向に重なるように形成されて、前記第３冷媒流路を流れる冷媒から前記第３熱媒体流路を流れる前記熱媒体へ放熱して前記第３冷媒流路を流れる冷媒を凝縮する請求項３に記載の熱交換器。
【請求項５】
前記第１冷媒流路および前記第３冷媒流路のうち一方の冷媒流路には、前記交差方向の前記一方側に前記冷媒が流れ、
前記第１冷媒流路および前記第３冷媒流路のうち前記一方の冷媒流路以外の他方の冷媒流路には、前記交差方向の他方側に前記冷媒が流れる請求項４に記載の熱交換器。
【請求項６】
前記複数のプレートは、
前記積層方向に積層されている第１プレート（７４）、第２プレート（７２）、および第３プレート（７４）と、
前記第１プレート、前記第２プレート、および前記第３プレートに対して前記積層方向の前記一方側に配置されて、前記積層方向に積層されている第４プレート（７４）、第５プレート（７３Ａ）、および第６プレート（７４）と、を備え、
前記第１プレートは、前記第２プレートに対して前記積層方向の他方側に配置されており、
前記第３プレートは、前記第２プレートに対して前記積層方向の前記一方側に配置されており、
前記第４プレートは、前記第５プレートに対して前記積層方向の他方側に配置されており、
前記第６プレートは、前記第５プレートに対して前記積層方向の前記一方側に配置されており、
前記第１プレートおよび前記第３プレートのうち一方のプレートと前記第２プレートとの間に、前記第１冷媒流路が形成されており、
前記第１プレートおよび前記第３プレートのうち前記一方のプレート以外の他方のプレートと前記第２プレートとの間に、前記第１熱媒体流路が形成されており、
前記第４プレートおよび前記第６プレートのうち一方のプレートと前記第５プレートとの間に、前記第２冷媒流路が形成されており、
前記第４プレートおよび前記第６プレートのうち前記一方のプレート以外の他方のプレートと前記第５プレートとの間に、前記第２熱媒体流路が形成されている請求項１に記載の熱交換器。
【請求項７】
前記複数のプレートは、
前記凝縮部を貫通して前記過冷却部の前記第２冷媒流路からの前記冷媒を前記冷媒出口に導くための第１流通流路（９４）と、
前記過冷却部を貫通するように形成されて前記凝縮部の前記第１冷媒流路からの前記冷媒を前記気液分離器に導くための第２流通流路（９２）と、を構成する請求項６に記載の熱交換器。
【請求項８】
前記複数のプレートは、
前記凝縮部に形成されて前記冷媒入口に流入される前記冷媒を前記第１冷媒流路に導くための第３流通流路（９０）と、
前記過冷却部に形成されて前記第２冷媒流路を通過した前記冷媒を第１流通流路に導くための第４流通流路（９４）と、
前記過冷却部に形成されて前記気液分離器からの前記冷媒を前記第２冷媒流路に導くための第５流通流路（９３）と、
前記凝縮部に形成されて前記第１冷媒流路を通過した前記冷媒を前記第２流通流路に導くための第６流通流路（９１）と、を構成する請求項７に記載の熱交換器。
【請求項９】
前記複数のプレートは、
前記熱媒体入口に流入される前記熱媒体を前記第１熱媒体流路、および前記第２熱媒体流路に導くための第７流通流路（９６）と、
前記第１熱媒体流路、および前記第２熱媒体流路を通過した前記熱媒体を前記熱媒体出口に導くための第８流通流路（９５）と、
を構成する請求項８に記載の熱交換器。
【請求項１０】
前記第１プレート（７４）、前記第２プレート（７２）、および前記第３プレート（７４）は、それぞれ、
前記第１流通流路（９４）を形成する第１流路形成部（９４ｃ、９４ｅ）と、
前記第３流通流路（９０）を形成する第３流路形成部（９０ｃ、９０ｅ）と、
前記第６流通流路（９１）を形成する第６流路形成部（９１ｃ、９１ｅ）と、いった少なくとも３つの流路形成部を備え、
前記第４プレート（７４）、前記第５プレート（７３Ａ）、および前記第６プレート（７４）は、それぞれ、
前記第２流通流路（９２）を形成する第２流路形成部（９４ｄ、９７ｅ）と、
前記第４流通流路（９４）を形成する第４流路形成部（９２ｄ、９４ｅ）と、
前記第５流通流路（９３）を形成する第５流路形成部（９１ｄ、９０ｅ）と、いった少なくとも３つの流路形成部を備え、
前記第１プレート、前記第２プレート、前記第３プレート、前記第４プレート、前記第５プレート、および前記第６プレートは、それぞれ、
前記第７流通流路（９６）を形成する第７流路形成部（９６ｃ、９６ｅ、９５ｄ）と、
前記第８流通流路（９５）を形成する第８流路形成部（９５ｃ、９５ｅ、９６ｄ）と、を備える請求項９に記載の熱交換器。
【請求項１１】
前記第２プレート、および前記第５プレートは、それぞれ、外形が共通になるように形成されており、
前記第１流路形成部、前記第２流路形成部、前記第３流路形成部、前記第４流路形成部、前記第５流路形成部、前記第６流路形成部、前記第７流路形成部、前記第８流路形成部を纏めて複数の流路形成部としたとき、
前記第２プレート、および前記第５プレートは、前記複数の流路形成部のうち異なる組み合わせの流路形成部を備えることにより、異なる種類のプレートを構成する請求項１０に記載の熱交換器。
【請求項１２】
前記第１プレート、前記第３プレート、前記第４プレート、および前記第６プレートは、それぞれ、一種類のプレートによって構成されている請求項１０または１１に記載の熱交換器。
【請求項１３】
前記第１冷媒流路内には、前記第１冷媒流路内の冷媒と前記第１熱媒体流路内の熱媒体との間で熱交換する第１熱交換フィン（８０）が設けられており、
前記第２冷媒流路内には、前記第２冷媒流路内の冷媒と前記第２熱媒体流路内の熱媒体との間で熱交換する第２熱交換フィン（８０）が設けられており、
前記第１熱媒体流路内には、前記第１冷媒流路内の冷媒と前記第１熱媒体流路内の熱媒体との間で熱交換する第３熱交換フィン（７９）が設けられており、
前記第２熱媒体流路内には、前記第２冷媒流路内の冷媒と前記第２熱媒体流路内の熱媒体との間で熱交換する第４熱交換フィン（７９）が設けられている請求項１に記載の熱交換器。
【請求項１４】
プレート積層体（１０）、および気液分離器（２０）を備え、
前記プレート積層体は、
第１方向（Ｄ１）に拡がる板状に形成されて前記第１方向に交差する第２方向（Ｄ２）に積層されている第１プレート（７４）、第２プレート（７２）、および第３プレート（７４）と、
前記第１プレート、前記第２プレート、および前記第３プレートに対して前記第２方向に配置され、かつ前記第１方向に拡がる板状に形成されて前記第２方向に積層されている第４プレート（７４）、第５プレート（７３Ａ）、および第６プレート（７４）と、を備え、
前記第１プレートおよび前記第２プレートの間には、冷媒入口（１１０）から流れる冷媒が流通する第１冷媒流路（１０１）が形成され、前記第２プレートおよび前記第３プレートの間には、熱媒体が流通する第１熱媒体流路（１００）が形成されており、
前記第１プレート、前記第２プレート、および前記第３プレートは、前記第１冷媒流路内の前記冷媒から前記第１熱媒体流路の前記熱媒体に放熱する凝縮部（１０Ａ）を構成し、
前記気液分離器は、前記第１冷媒流路から排出される前記冷媒を気相冷媒と液相冷媒に分離して前記気相冷媒および前記液相冷媒のうち前記液相冷媒を排出し、
前記第４プレートおよび前記第５プレートの間には、前記気液分離器から排出される前記液相冷媒が冷媒出口（１１１）に向けて流れる第２冷媒流路（１０１）が形成されており、
前記第５プレートおよび前記第６プレートの間には、前記熱媒体が流通する第２熱媒体流路（１００）が形成されており、
前記第４プレート、前記第５プレート、および前記第６プレートは、前記第２冷媒流路内の前記液相冷媒から前記第２熱媒体流路の前記熱媒体に放熱する過冷却部（１０Ｂ）を構成し、
前記冷媒入口および前記冷媒出口は、前記凝縮部に対して前記過冷却部の反対側に配置されており、
前記第１プレート、前記第２プレート、および前記第３プレートには、前記第１プレート、前記第２プレート、および前記第３プレートを貫通して前記第２冷媒流路から前記液相冷媒を前記冷媒出口に導くための貫通流路（９４）が構成されており、
前記第１プレート、前記第２プレート、および前記第３プレートにおいて、前記貫通流路は、前記第１方向（Ｄ１）の一端側に配置されている熱交換器。
【請求項１５】
前記プレート積層体は、前記第１方向に拡がる板状に形成されて前記第２方向に積層されている第７プレート（７４）、第８プレート（７３）、および第９プレート（７４）を備え、
前記第７プレート、前記第８プレート、前記第９プレートは、前記第１プレート、前記第２プレート、前記第３プレートと、前記第４プレート、前記第５プレート、前記第６プレートとの間に配置されており、
前記第７プレートおよび前記第８プレートの間には、前記第１冷媒流路からの前記冷媒が前記気液分離器に向けて流通する第３冷媒流路（１０１）が形成され、
前記第８プレートおよび前記第９プレートの間には、前記熱媒体が流通する第３熱媒体流路（１００）が形成されており、
前記第７プレート、前記第８プレート、および前記第９プレートは、前記第３冷媒流路内の前記冷媒から前記第３熱媒体流路の前記熱媒体に放熱する前記凝縮部を構成する請求項１４に記載の熱交換器。
【請求項１６】
前記第１冷媒流路および前記第３冷媒流路のうち一方の冷媒流路には、前記冷媒が前記第１方向の一方側に流れ、
前記第１冷媒流路および前記第３熱媒体流路のうち前記一方の冷媒流路以外の他方の冷媒流路には、前記冷媒が前記第１方向の他方側に流れる請求項１５に記載の熱交換器。
【請求項１７】
コネクタ（５０）を備え、
前記プレート積層体には、前記凝縮部からの前記冷媒を排出するための排出口（１１４）と、前記気液分離器から排出される前記液相冷媒を前記過冷却部に導くための導入口（１１５）とが形成され、
前記コネクタは、前記排出口からの前記冷媒を前記気液分離器に導くとともに、前記気液分離器からの前記液相冷媒を前記導入口に導く請求項１４に記載の熱交換器。
【請求項１８】
前記第１プレート、前記第２プレート、および前記第３プレートには、前記第１プレート、前記第２プレート、および前記第３プレートを貫通して前記第２冷媒流路から前記液相冷媒を前記冷媒出口に導くための貫通流路（９４）が構成されている請求項１４に記載の熱交換器。
【請求項１９】
プレート積層体（１０）、および気液分離器（２０）を備え、
前記プレート積層体は、
第１方向（Ｄ１）に拡がる板状に形成されて前記第１方向に交差する第２方向（Ｄ２）に積層されている第１プレート（７４）、第２プレート（７２）、および第３プレート（７４）と、
前記第１プレート、前記第２プレート、および前記第３プレートに対して前記第２方向の一方側に配置され、かつ前記第１方向に拡がる板状に形成されて前記第２方向に積層されている第４プレート（７４）、第５プレート（７３Ａ）、および第６プレート（７４）と、を備え、
前記プレート積層体には、排出口（１１４）および導入口（１１５）が形成されており、  前記第１プレートおよび前記第２プレートの間には、冷媒入口（１１０）から流れる冷媒が前記排出口に向けて流通する第１冷媒流路（１０１）が形成され、前記第２プレートおよび前記第３プレートの間には、熱媒体が流通する第１熱媒体流路（１００）が形成されており、
前記第１プレート、前記第２プレート、および前記第３プレートは、前記第１冷媒流路内の前記冷媒から前記第１熱媒体流路の前記熱媒体に放熱する凝縮部（１０Ａ）を構成し、
前記気液分離器は、前記凝縮部から排出される前記冷媒を気相冷媒と液相冷媒に分離して前記気相冷媒および前記液相冷媒のうち前記液相冷媒を前記導入口に向けて排出し、
前記第４プレートおよび前記第５プレートの間には、前記導入口からの前記液相冷媒が冷媒出口（１１１）に向けて流通される第２冷媒流路（１０１）が形成されており、
前記第５プレートおよび前記第６プレートの間には、前記熱媒体が流通する第２熱媒体流路（１００）が形成されており、
前記第４プレート、前記第５プレート、および前記第６プレートは、前記第２冷媒流路内の前記液相冷媒から前記第２熱媒体流路の前記熱媒体に放熱する過冷却部（１０Ｂ）を構成し、
前記第４プレート、前記第５プレート、および前記第６プレートには、前記第４プレート、前記第５プレート、および前記第６プレートを貫通して前記第１冷媒流路からの前記冷媒を前記排出口に導くための第１貫通流路（９２）が構成され、
前記第１プレート、前記第２プレート、および前記第３プレートには、前記第１プレート、前記第２プレート、および前記第３プレートを貫通して前記第２冷媒流路から前記液相冷媒を前記冷媒出口に導くための第２貫通流路（９４）が構成され、
前記排出口および前記導入口は、前記過冷却部に対して前記凝縮部の反対側に配置されており、
前記第４プレート、前記第５プレート、および前記第６プレートにおいて、前記第１貫通流路（９２）は、前記第１方向（Ｄ１）の一端側に配置されており、
前記第１プレート、前記第２プレート、および前記第３プレートにおいて、前記第２貫通流路（９４）は、前記第１方向（Ｄ１）の他端側に配置されている熱交換器。
【請求項２０】
前記排出口からの前記冷媒を前記気液分離器に導くとともに、前記気液分離器からの前記液相冷媒を前記導入口に導くためのコネクタ（５０）を備える請求項１９に記載の熱交換器。
【請求項２１】
前記第６プレート（７４）のうち前記第１貫通流路（９２）を形成する第１貫通流路形成部（９７ｅ）が前記第５プレートに接合されて、前記第２貫通流路と前記第２熱媒体流路とを分離し、
前記第５プレート（７３Ａ）のうち前記第１貫通流路（９２）を形成する第２貫通流路形成部（９４ｄ）が前記第４プレートに接合されて、前記第２貫通流路と前記第２冷媒流路とを分離し、
前記第３プレート（７４）のうち前記第２貫通流路（９４）を形成する第３貫通流路形成部（９４ｅ）が前記第２プレートに接合されて、前記第２貫通流路と前記第１熱媒体流路とを分離し、
前記第２プレート（７２）のうち前記第２貫通流路（９４）を形成する第４貫通流路形成部（９４ｃ）が前記第１プレートに接合されて、前記第２貫通流路と前記第１冷媒流路とを分離する請求項１９または２０に記載の熱交換器。
【請求項２２】
前記第１プレート、前記第２プレート、および前記第３プレートには、前記第１プレート、前記第２プレート、および前記第３プレートを貫通して前記冷媒入口からの前記冷媒を前記第１冷媒流路に流すための第３貫通流路（９０）が形成されており、
前記第１プレート、前記第２プレート、および前記第３プレートには、前記第１プレート、前記第２プレート、および前記第３プレートを貫通して前記第１冷媒流路からの前記冷媒を前記排出口に導くための第４貫通流路（９１）が構成されており、
前記第４プレート、前記第５プレート、および前記第６プレートには、前記第４プレート、前記第５プレート、および前記第６プレートを貫通して前記導入口からの前記液相冷媒を前記第２冷媒流路に導くための第５貫通流路（９３）を構成し、
前記第１プレート、前記第２プレート、および前記第３プレートにおいて、前記第３貫通流路（９０）は、前記第１方向（Ｄ１）の一端側に配置されており、
前記第１プレート、前記第２プレート、および前記第３プレートにおいて、前記第４貫通流路（９１）は、前記第１方向（Ｄ１）の他端側に配置されており、
前記第４プレート、前記第５プレート、および前記第６プレートにおいて、前記第５貫通流路（９３）は、前記第１方向（Ｄ１）の一端側に配置されている請求項２１に記載の熱交換器。
【請求項２３】
前記第３プレート（７４）のうち前記第３貫通流路（９０）を形成する第５貫通流路形成部（９０ｅ）が前記第２プレートに接合されて、前記第３貫通流路と前記第１熱媒体流路とを分離し、
前記第２プレート（７２）のうち前記第３貫通流路（９０）を形成する第６貫通流路形成部（９０ｃ）が前記第１プレートとともに、前記第３貫通流路からの前記冷媒を前記第１冷媒流路に導くための第１冷媒導入口（１０１ａ）を形成し、
前記第３プレートのうち前記第４貫通流路（９１）を形成する第７貫通流路形成部（９１ｅ）が前記第２プレートに接合されて、前記第４貫通流路と前記第１熱媒体流路とを分離し、
前記第２プレート（７２）のうち前記第４貫通流路（９１）を形成する第８貫通流路形成部（９１ｃ）が前記第１プレートとともに、前記第１冷媒流路からの前記冷媒を前記第４貫通流路に排出する冷媒排出口（１０１ｂ）を形成し、
前記第６プレート（７４）のうち前記第５貫通流路（９３）を形成する第９貫通流路形成部（９０ｅ）が前記第５プレートに接合されて、前記第５貫通流路と前記第２熱媒体流路とを分離し、
前記第５プレート（７３Ａ）のうち前記第５貫通流路（９３）を形成する第１０貫通流路形成部（９１ｄ）が前記第４プレートとともに、前記第５貫通流路からの前記冷媒を前記第２冷媒流路に導くための第２冷媒導入口（１０１ａ）を形成し、
前記第６プレート（７４）のうち前記第２貫通流路（９４）を形成する第１１貫通流路形成部（９４ｅ）が前記第５プレートに接合されて、前記第２貫通流路と前記第２熱媒体流路とを分離し、
前記第５プレート（７３Ａ）のうち前記第２貫通流路（９４）を形成する第１２貫通流路形成部（９２ｄ）が前記第４プレートとともに、前記第２冷媒流路から前記第２貫通流路に排出する第２排出口（１０１ｂ）を形成する請求項２２に記載の熱交換器。
【請求項２４】
前記プレート積層体は、前記第１方向に拡がる板状に形成されて前記第２方向に積層されている第７プレート（７４）、第８プレート（７３）、および第９プレート（７４）を備え、
前記第７プレート、前記第８プレート、前記第９プレートは、前記第１プレート、前記第２プレート、前記第３プレートと、前記第４プレート、前記第５プレート、前記第６プレートとの間に配置されており、
前記第７プレートおよび前記第８プレートの間には、前記第１冷媒流路からの前記冷媒が前記気液分離器に向けて流通する第３冷媒流路（１０１）が形成され、
前記第８プレートおよび前記第９プレートの間には、前記熱媒体が流通する第３熱媒体流路（１００）が形成されており、
前記第７プレート、前記第８プレート、および前記第９プレートは、前記第３冷媒流路内の前記冷媒から前記第３熱媒体流路の前記熱媒体に放熱する前記凝縮部を構成する請求項２３記載の熱交換器。
【請求項２５】
前記プレート積層体は、第１仕切りプレート（７５）および第２仕切りプレート（７６）を備え、
前記第１仕切りプレートは、前記第１プレート、前記第２プレート、前記第３プレートと、前記第７プレート、前記第８プレート、前記第９プレートとの間に配置されており、  前記第２仕切りプレートは、前記第７プレート、前記第８プレート、前記第９プレートと、前記第４プレート、前記第５プレート、前記第６プレートとの間に配置されており、  前記第１仕切りプレートは、前記第４貫通流路（９１）を形成する第１３貫通流路形成部（９１ｆ）と、前記第２貫通流路（９４）を形成する第１４貫通流路形成部（９４ｆ）を形成し、
前記第２仕切りプレートは、前記第１貫通流路（９２）を形成する第１５貫通流路形成部（９２ｇ）と、前記第２貫通流路（９４）を形成する第１６貫通流路形成部（９４ｇ）とを形成する請求項２４に記載の熱交換器。
【請求項２６】
前記第２プレート、前記第１仕切りプレート、および前記第２仕切りプレート、前記第５プレートは、それぞれ、外形が共通に形成されており、
前記第２貫通流路形成部、前記第４貫通流路形成部、前記第６貫通流路形成部、前記第８貫通流路形成部、前記第１０貫通流路形成部、前記第１２貫通流路形成部、前記第１３貫通流路形成部、前記第１４貫通流路形成部、前記第１５貫通流路形成部、および前記第１６貫通流路形成部を纏めて複数の貫通流路形成部としたとき、
前記第２プレート、前記第１仕切りプレート、前記第２仕切りプレート、および前記第５プレートは、それぞれ、前記複数の貫通流路形成部のうち異なる組み合わせの貫通流路形成部を備えることにより、異なる種類のプレートになっている請求項２５に記載の熱交換器。
【手続補正２】
【補正対象書類名】明細書
【補正対象項目名】００１７
【補正方法】変更
【補正の内容】
【００１７】
上記目的を達成するため、請求項１に記載の発明では、熱交換器であって、
複数のプレート（７２、７４、７３Ａ）が積層されることにより、凝縮部（１０Ａ）および過冷却部（１０Ｂ）を構成するプレート積層体（１０）を備え、
凝縮部は、冷媒入口（１１０）に流入された気相冷媒が流れる第１冷媒流路（１０１）と熱媒体が流れる第１熱媒体流路（１００）とが複数のプレートの積層方向（Ｄ２）に重なるように形成されて、気相冷媒から熱媒体へ放熱して気相冷媒を凝縮して、気液分離器（２０）に向けて排出し、
気液分離器は、凝縮部によって凝縮された冷媒を気相冷媒と液相冷媒とに分離して気相冷媒および液相冷媒のうち液相冷媒を排出し、
過冷却部は、凝縮部に対して積層方向の一方側に配置されて、気液分離器から排出された液相冷媒が冷媒出口（１１１）に向けて流れる第２冷媒流路（１０１）と熱媒体が流れる第２熱媒体流路（１００）とが積層方向に重なるように形成されて、液相冷媒から熱媒体へ放熱して液相冷媒を過冷却し、
冷媒入口および冷媒出口は、それぞれ、凝縮部に対して過冷却部の反対側に配置されており、
第１熱媒体流路、および第２熱媒体流路には、熱媒体入口（１１２）を介して流入される熱媒体が流れ、
第１熱媒体流路、および第２熱媒体流路を通過した熱媒体が熱媒体出口（１１３）から排出され、
熱媒体入口および熱媒体出口は、凝縮部に対して過冷却部の反対側に配置されており、
気液分離器は、過冷却部に対して凝縮部の反対側に配置されている。
【手続補正３】
【補正対象書類名】明細書
【補正対象項目名】００１８
【補正方法】変更
【補正の内容】
【００１８】
請求項１４に記載の発明では、熱交換器において、プレート積層体（１０）、および気液分離器（２０）を備え、
プレート積層体は、第１方向（Ｄ１）に拡がる板状に形成されて第１方向に交差する第２方向（Ｄ２）に積層されている第１プレート（７４）、第２プレート（７２）、および第３プレート（７４）と、
第１プレート、第２プレート、および第３プレートに対して第２方向に配置され、かつ第１方向に拡がる板状に形成されて第２方向に積層されている第４プレート（７４）、第５プレート（７３Ａ）、および第６プレート（７４）と、を備え、
第１プレートおよび第２プレートの間には、冷媒入口（１１０）から流れる冷媒が流通する第１冷媒流路（１０１）が形成され、第２プレートおよび第３プレートの間には、熱媒体が流通する第１熱媒体流路（１００）が形成されており、
第１プレート、第２プレート、および第３プレートは、第１冷媒流路内の冷媒から第１熱媒体流路の熱媒体に放熱する凝縮部（１０Ａ）を構成し、
気液分離器は、第１冷媒流路から排出される冷媒を気相冷媒と液相冷媒に分離して気相冷媒および液相冷媒のうち液相冷媒を排出し、
第４プレートおよび第５プレートの間には、気液分離器から排出される液相冷媒が冷媒出口（１１１）に向けて流れる第２冷媒流路（１０１）が形成されており、
第５プレートおよび第６プレートの間には、熱媒体が流通する第２熱媒体流路（１００）が形成されており、
第４プレート、第５プレート、および第６プレートは、第２冷媒流路内の液相冷媒から第２熱媒体流路の熱媒体に放熱する過冷却部（１０Ｂ）を構成し、
冷媒入口および冷媒出口は、凝縮部に対して過冷却部の反対側に配置されており、
第１プレート、第２プレート、および第３プレートには、第１プレート、第２プレート、および第３プレートを貫通して第２冷媒流路から液相冷媒を冷媒出口に導くための貫通流路（９４）が構成されており、
第１プレート、第２プレート、および第３プレートにおいて、貫通流路は、第１方向（Ｄ１）の一端側に配置されている。
【手続補正４】
【補正対象書類名】明細書
【補正対象項目名】００１９
【補正方法】変更
【補正の内容】
【００１９】
したがって、請求項１、１４に記載の発明によれば、冷媒入口および冷媒出口に対して冷媒配管を凝縮部に対して過冷却部の反対側から接続することができる。これにより、冷媒入口および冷媒出口のうち一方を第２方向の一方側に配置し、冷媒入口および冷媒出口のうち他方を第２方向の他方側に配置する場合に比べて、組み付け工数を減らすことができる。
ここで、冷媒入口および冷媒出口のうち他方とは、冷媒入口および冷媒出口のうち前記一方以外の残りを意味する。
【手続補正５】
【補正対象書類名】明細書
【補正対象項目名】００２０
【補正方法】変更
【補正の内容】
【００２０】
請求項１９に記載の発明では、熱交換器にいて、プレート積層体（１０）、および気液分離器（２０）を備え、
プレート積層体は、
第１方向（Ｄ１）に拡がる板状に形成されて第１方向に交差する第２方向（Ｄ２）に積層されている第１プレート（７４）、第２プレート（７２）、および第３プレート（７４）と、
第１プレート、第２プレート、および第３プレートに対して第２方向の一方側に配置され、かつ第１方向に拡がる板状に形成されて第２方向に積層されている第４プレート（７４）、第５プレート（７３Ａ）、および第６プレート（７４）と、を備え、
プレート積層体には、排出口（１１４）および導入口（１１５）が形成されており、
第１プレートおよび第２プレートの間には、冷媒入口（１１０）から流れる冷媒が排出口に向けて流通する第１冷媒流路（１０１）が形成され、第２プレートおよび第３プレートの間には、熱媒体が流通する第１熱媒体流路（１００）が形成されており、
第１プレート、第２プレート、および第３プレートは、第１冷媒流路内の冷媒から第１熱媒体流路の熱媒体に放熱する凝縮部（１０Ａ）を構成し、
気液分離器は、凝縮部から排出される冷媒を気相冷媒と液相冷媒に分離して気相冷媒および液相冷媒のうち液相冷媒を導入口に向けて排出し、
第４プレートおよび第５プレートの間には、導入口からの液相冷媒が冷媒出口（１１１）に向けて流通される第２冷媒流路（１０１）が形成されており、
第５プレートおよび第６プレートの間には、熱媒体が流通する第２熱媒体流路（１００）が形成されており、
第４プレート、第５プレート、および第６プレートは、第２冷媒流路内の液相冷媒から第２熱媒体流路の熱媒体に放熱する過冷却部（１０Ｂ）を構成し、
第４プレート、第５プレート、および第６プレートには、第４プレート、第５プレート、および第６プレートを貫通して第１冷媒流路からの冷媒を排出口に導くための第１貫通流路（９２）が構成され、
第１プレート、第２プレート、および第３プレートには、第１プレート、第２プレート、および第３プレートを貫通して第２冷媒流路から液相冷媒を冷媒出口に導くための第２貫通流路（９４）が構成され、
排出口および導入口は、過冷却部に対して凝縮部の反対側に配置されており、
第４プレート、第５プレート、および第６プレートにおいて、第１貫通流路は、第１方向（Ｄ１）の一端側に配置されており、
第１プレート、第２プレート、および第３プレートにおいて、第２貫通流路（９４）は、第１方向（Ｄ１）の一端側に配置されている。
【手続補正６】
【補正対象書類名】明細書
【補正対象項目名】００２１
【補正方法】変更
【補正の内容】
【００２１】
したがって、請求項１９に記載の発明によれば、冷媒入口および冷媒出口に対して冷媒配管を凝縮部に対して過冷却部の反対側から接続することができる。これにより、冷媒入口および冷媒出口のうち一方を第２方向の一方側に配置し、冷媒入口および冷媒出口のうち他方を第２方向の他方側に配置する場合に比べて、組み付け工数を減らすことができる。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】